(57)【要約】【課題】マルチセッションＣＤにおいてセッションの終端を検出する場合、従来はフォーカスのエラー検出が一定時間連続することで終端と判定したため、ＣＤ−ＲＯＭでのファイル情報取得に時間がかかっていた。【解決手段】データ領域でのフォーカスエラーレベルより、リードインエリア外でかつフォーカスエラー状態であるときのフォーカスエラーレベルが大きいとステップＳ４で検出した場合にステップＳ５においてデータがないエリア（鏡面）と判定し、現在探索しているセッションを最終セッションと判別するよう構成したのでセッション終端検出が従来よりも早い。【選択図】　　　図６
2004046919.tif 000002
【特許請求の範囲】
【請求項１】
フォーカスサーチを行った場合のフォーカスエラーを検出する検出手段と、
データ領域でのフォーカスエラーレベルの第１のレベルと、複数セッションが記録された光ディスクのセッション探索を行う場合のリードインアウト外でかつフォーカスエラー状態であるときのフォーカスエラーレベルの第２のレベルとの比較を行い光ディスクの状態を判別する光ディスク判定手段と
を具備した光ディスク再生装置。
【請求項２】
前記第１のレベルより前記第２のレベルが大きい場合、データがないエリア（鏡面）と判定し、現在探索しているセッションを最終セッションと判別するマルチセッション判別処理を実行するよう構成した
請求項１記載の光ディスク再生装置。
【請求項３】
前記第１のレベルより前記第２のレベルが小さい場合、光ディスクに傷があると判定し、傷対策処理を行うマルチセッション判別処理を実行するよう構成した請求項１記載の光ディスク再生装置。
【請求項４】
前記第２のレベルがほぼ０である場合、光ディスクの最外周にあると判別するマルチセッション判別処理を実行するよう構成した
請求項１記載の光ディスク再生装置。
【請求項５】
前記第１のレベルがマスタリング光ディスクのフォーカスエラーレベルの第３のレベルの場合、セッション探索処理を行わないマルチセッション判別処理を実行するよう構成した
請求項１記載の光ディスク再生装置。
【発明の詳細な説明】
【０００１】
【発明の属する技術分野】
本発明は、追記型光ディスク（ＣＤ等）をセット可能な光ディスク再生装置に関する。
【０００２】
【従来の技術】
光ディスク再生装置は図１に示すように構成されている。
まず、レーザー素子からの光は光ディスク１で反射し、レンズ２を通して光ピックアップ３に到達する。光ピックアップ３はこれを電気信号に変換し、電気信号がヘッドアンプ４にて増幅され、ここでフォーカスエラー信号、トラッキングエラー信号として合成される。
【０００３】
これらのエラー信号はサーボ＆信号処理集積回路５に入力される。サーボ＆信号処理集積回路５はフォーカスエラー信号よりフォーカスサーボ処理を行い、ドライバ６を通じて制御信号を増幅し、フォーカスコイル７を制御してレンズ２の制御を行う。また、トラッキングエラー信号よりトラッキングサーボ及びトラバースサーボ処理を行い、ドライバ６を通じて制御信号を増幅し、トラッキングコイル８を制御してトラッキング制御を行う。また、同期信号によりＣＬＶサーボ処理を行い、ドライバ６を通じてスピンドルモータ９の回転数の制御を行っている。１６はトラバースモータである。
【０００４】
さらに、サーボ＆信号処理集積回路５の信号処理回路は、光ディスク１にかかれた信号を復調する。マイクロプロセッサ１０は光ディスク１のプレイ（ＰＬＡＹ）、ストップ（ＳＴＯＰ）、ポーズ（ＰＡＵＳＥ）、スキップ（ＳＫＩＰ）等のキーからのキー入力１１を、サブコードと呼ばれる光ディスクの制御信号およびサーボ制御情報をサーボ＆信号処理集積回路５から取得することでサーボ＆信号処理集積回路５の制御を行い、かつその処理結果を表示装置１２を通じてユーザーに認識させている。
【０００５】
サブコード情報により光ディスク１が音楽ＣＤの場合は、サーボ＆信号処理集積回路５にて復調しＤＦ−ＤＡＣ（　Ｄｉｇｔａｌ　Ｆｉｌｔｅｒ　−　Ｄｉｇｔａｌ　Ａｎａｌｏｇ　Ｃｏｎｖｅｒｔｏｒ）１３を通して音声出力１４を行い、データＣＤ（ＭＰ３、ＷＭＡ等）の場合は圧縮オーディオデコーダ１５にて復調しＤＦ−ＤＡＣ１３を通して音声出力１４が行われる。
【０００６】
次に、光ディスク立上げ手順を図３に基づいて説明する。
まず、マイクロプロセッサの制御によりサーボ＆信号処理集積回路５へ電源が投入され、ステップＳ１で光ディスクの検出を行う。ステップＳ２で光ディスク１のＣＤ−Ｒ／ＲＷ判別処理終了後、ステップＳ３でサーボの立上げ処理が行われる。
【０００７】
サーボ立上げ後、ステップＳ４ではマルチセッション対応のＴＯＣ（目次情報）リード処理を行う。ＴＯＣリード処理後、ステップＳ５において判別し、ＣＤ−ＤＡ　（　Ｃｏｍｐａｃｔ　Ｄｉｓｃ　Ｄｉｇｉｔａｌ　Ａｕｄｉｏ　（一般的なオーディオＣＤ））の場合は処理を終了して光ディスク停止またはプレイ（ＰＬＡＹ）処理に移行する。ＭＰ３等のＣＤ−ＲＯＭ光ディスクの場合は、ステップＳ６で最終セッションのファイル情報を取得してから、ＣＤ−ＤＡの場合と同様に停止（ＳＴＯＰ）またはプレイ（ＰＬＡＹ）処理に移行する。
【０００８】
図１２に示すように従来のマルチセッション対応のＴＯＣリード処理は、第１セッションのＴＯＣリード終了後、ステップＳ１０でリードアウトにジャンプし、ステップＳ１１で次のセッションのリードイン探索処理を必ず行っていた。
【０００９】
図１３に示すようにリードイン探索処理は、ステップＳ２０，ステップＳ２１で次セッションのリードインの探索をフォーカスサーボがかからないエラー状態が連続して５〜１０秒程度連続するかどうかで判定していたため、最終セッションの判別にはこの５〜１０秒の確定処理が必要なため時間が長くなるという問題がある。
【００１０】
【発明が解決しようとする課題】
このように従来の処理方法では、フォーカスエラー状態が連続して５〜１０秒程度経過してからでないと次のセッション有無の判別ができず、マルチセッションのＴＯＣリード処理に時間がかかっていた。また、フォーカスエラーの原因を判別していないため、実際は鏡面と違う場合でも鏡面と判別する場合があった。他方、マスタリングされた光ディスク（追記型でないもの）か、記録可能な光ディスクかの判別もなく、マスタリングされた光ディスクは、通常シングルセッションまたはＣＤ−ＥＸＴＲＡであり、最初のセッションの音楽データの再生またはデータ解析だけでよいにもかかわらず、マルチセッション判別処理を行っていたため、マスタリング光ディスクのＴＯＣリード処理も結果として時間がかかっていた。
【００１１】
本発明は、マルチセッションＣＤがセットされた場合に、セッションの終端を検出する場合に、従来よりも迅速に判別できる光ディスク再生装置を提供することを目的とする。
【００１２】
【課題を解決するための手段】
本発明の請求項１記載の光ディスク再生装置は、フォーカスサーチを行った場合のフォーカスエラーを検出する検出手段と、データ領域でのフォーカスエラーレベルの第１のレベルと、複数セッションが記録された光ディスクのセッション探索を行う場合のリードインアウト外でかつフォーカスエラー状態であるときのフォーカスエラーレベルの第２のレベルとの比較を行い光ディスクの状態を判別する光ディスク判定手段とを具備したことを特徴とする。
【００１３】
本発明の請求項２記載の光ディスク再生装置は、請求項１において、前記第１のレベルより前記第２のレベルが大きい場合、データがないエリア（鏡面）と判定し、現在探索しているセッションを最終セッションと判別するマルチセッション判別処理を実行するよう構成したことを特徴とする。
【００１４】
本発明の請求項３記載の光ディスク再生装置は、請求項１において、前記第１のレベルより前記第２のレベルが小さい場合、光ディスクに傷があると判定し、傷対策処理を行うマルチセッション判別処理を実行するよう構成したことを特徴とする。
【００１５】
本発明の請求項４記載の光ディスク再生装置は、請求項１において、前記第２のレベルがほぼ０である場合、光ディスクの最外周にあると判別するマルチセッション判別処理を実行するよう構成したことを特徴とする。
【００１６】
本発明の請求項５記載の光ディスク再生装置は、請求項１において、前記第１のレベルがマスタリング光ディスクのフォーカスエラーレベルの第３のレベルの場合、セッション探索処理を行わないマルチセッション判別処理を実行するよう構成したことを特徴とする。
【００１７】
【発明の実施の形態】
以下、本発明の具体的な実施の形態を図面に基づいて説明する。
なお、光ディスク再生装置の全体的な構成は図１と同じであるため、その説明を省く。なお、本発明ではマイクロプロセッサ１０で実行されるディスク判別機能手段の具体的なルーチンの構成が従来とは異なっている。
【００１８】
（実施の形態１）
例えば、マイクロプロセッサ１０で実行される光ディスク立上げ手順は図３と同様であるが、マイクロプロセッサ１０は図４に示すルーチンでディスク判別を実施するように構成されている。
【００１９】
ここで、光ピックアップ３からの信号を増幅するヘッドアンプ４は、ＣＤ−ＤＡ、ＣＤ−Ｒ用の“×１倍”設定ゲインとＣＤ−ＲＷ用の“×４倍”設定ゲインの設定ができる。
【００２０】
まず、マイクロプロセッサ１０は、ステップＳ１でヘッドアンプ４のゲイン設定を“×１倍”モード（マスタリングＣＤモード）にし、ステップＳ２で光ディスク判別のリトライカウンタを初期化する。
【００２１】
次に、ステップＳ３ではフォーカスサーチをＯＮして、フォーカスの上下動作をさせる。ステップＳ４ではフォーカスエラー信号が取得できる区間ウェイトし、ステップＳ５でフォーカスエラーを取得する。
【００２２】
フォーカスエラー波形は図５に示すような正弦波形状をしており、最大値Ｆｍａｘ、最小値Ｆｍｉｎを取得する。ステップＳ６ではＦｍａｘ−Ｆｍｉｎ値（以下、フォーカスエラー量とする）の大きさが規定値Ｆ０以内か判定する。
【００２３】
フォーカスエラー量（Ｆｍａｘ−Ｆｍｉｎ値）が規定値Ｆ０より大きい場合には、ＣＤ−ＲＷ判定でないと処理が確定し、光ディスクはマスタリングＣＤまたはＣＤ−Ｒと判定される。
【００２４】
フォーカスエラー量（Ｆｍａｘ−Ｆｍｉｎ値）が規定値Ｆ０以内の場合には、ステップＳ７を介してステップＳ８でゲイン設定を“×４倍”モードに設定して、もう一度Ｆｍａｘ，Ｆｍｉｎを取得する。このとき、図５に示すようにゲインが上がるため、フォーカスエラー量が増加し上記判定レベルとなりＣＤ−ＲＷ光ディスクと判別される。もし、確定しない場合はリトライを所定回数行い、リトライのたびにステップＳ９でカウンタを＋１してステップＳ４に戻る。カウンタが回数制限を越えたことをステップＳ７で検出した場合、ＣＤ−ＲＷとして光ディスク判別が確定し立上げ処理が行われる。
【００２５】
次に、図２を使用してマルチセッション構造について説明する。
通常のシングルセッションのマスタリング光ディスクは、図２（ａ）に示すようにリードイン１７、プログラムエリア１８、リードアウト１９にてデータ領域２０が構成され、これが１つしか存在しない。２１は鏡面である。
【００２６】
しかし、マルチセッション構造の場合は、図２（ｂ）に示すように第１セッション２２の作成後、次に第２セッション２３が作成される。最終セッション（ここでは第２セッション）以降は、マスタリングＣＤと同様に鏡面２１で光ディスク面と同一構造をとっている。
【００２７】
（実施例１）
図２，図１２によりマルチセッション光ディスクのＴＯＣリード処理を説明する。
【００２８】
マルチセッション光ディスク場合、現セッションの次セッションの始まりはリードインから始まっている。このため、図１２に示す手順にて最終セッションの判別が行われる。
【００２９】
まず、第１セッションのＴＯＣリード後、ステップＳ１０で光ピックアップを第１セッションのリードアウト最終端に移動させる。次にステップＳ１１でリードイン探索処理を行い、ステップＳ１２においてリードインがあったと判定された場合は、もう一度ＴＯＣリードを繰り返し、セッションの終わりにリードインがなくなる（鏡面確定）まで、処理を繰り返す。この処理を行うのは、追記型のデータＣＤの場合、最終セッションのデータ領域にしかすべてのファイル情報データが存在しないためである。
【００３０】
本発明の光ディスク再生装置では、図１に示すように光ピックアップ３で検出された信号は、検出手段であるヘッドアンプ４にてフォーカスエラー信号として合成され、サーボ＆信号処理集積回路５を通じてマイクロプロセッサ（判定手段）１０がこの信号データを取得して、図６に示すようにサーボ＆信号処理集積回路５でのフォーカスエラー時に、フォーカスエラー量を検出し、そのレベルを光ディスク判定時に取得したフォーカスエラー量と比較する。上記動作を行うことで、フォーカスサーボがかからない鏡面でも光ディスク判別が可能になる。
【００３１】
次に図６を使用して、リードイン探索処理の詳細を説明する。
まず、ステップＳ１でフォーカスエラー検出された場合、ステップＳ２のウェイトを経由して、ステップＳ３でフォーカスエラー量を取得する。
【００３２】
図７に示すように、この取得したフォーカスエラー量がステップＳ４において光ディスク検出時より大きい場合はステップＳ５で鏡面と判定する。
これは、鏡面はマスタリング光ディスクの場合ピットが形成されていないため、レーザーの反射量がデータ領域より大になることを利用している。また、ＣＤ−Ｒ／ＲＷの場合、書込み済みの面、同様に未記録部は反射量が大になること利用している。この反射量は、実際約２０〜３０％多くなっているが、この数値に規定されるものではない。
【００３３】
また、ステップＳ４においてフォーカスエラー量が小さいと判定され、かつステップＳ６においてフォーカスエラー量がほぼ０であると判定された場合には、ステップＳ７で光ディスク終端の基板面もしくは光ディスク外周（図７参照）であると確定し、これもセッション終了と判定する。
【００３４】
また、ステップＳ４においてフォーカスエラー量は小さいと判定され、ステップＳ６において０ではないと判定された場合には、ステップＳ８において傷として、ステップＳ９で傷処理し、ステップＳ１に戻る。これは、図８に示すように傷の場合、レーザー光が拡散して反射量が小さくなるためである。このときの傷処理は、フォーカスエラー量をモニターしながら、光ピックアップを移動させることで、傷部分を飛ばして鏡面またはデータ領域を検出することが可能になる。
【００３５】
上記のステップＳ５，ステップＳ７，ステップＳ８の関係をまとめると図９の通りとなる。
（実施例２）
図１０と図１１は別の実施例を示す。
【００３６】
まず、図４の手順にて光ディスク検出を行った場合のフォーカスエラー量について、ヘッドアンプの“×１倍”ゲイン設定モード（マスタリングまたはＣＤ−Ｒ）でのフォーカスエラー量の関係が図１１の通りとなる。このとき、マスタリングＣＤでは、レーザーの反射量がＣＤ−Ｒより色素の影響がなく、アルミ蒸着の反射膜のためＣＤ−Ｒより約２０〜３０％が大きくなる。このため、フォーカスエラー量がマスタリングＣＤ判定（第３のレベル）の場合は、通常、最初のセッションの音楽データの再生またはデータ解析のみでよいためマルチセッション処理は不要である。このため、図１０に示すように最初ＴＯＣリード終了後、次のセッションは読む必要がなくステップＳ３０を実行することによってＴＯＣリード処理を終了させることができ、結果として、ＴＯＣリード処理が早くなる。
【００３７】
なお、上記の実施例１，２ではＣＤを光ディスクの例としたが、本発明はＣＤのみに限定されるものではなく、原理としてはＤＶＤ等のマルチリード可能な光ディスク装置に対しても有効な手段である。
【００３８】
【発明の効果】
以上のように本発明の光ディスク再生装置は、フォーカスサーチを行った場合のフォーカスエラーを検出する検出手段と、データ領域でのフォーカスエラーレベル（第１のレベル）と、複数セッションが記録された光ディスクのセッション探索を行う場合、リードインエリア外でかつフォーカスエラー状態であるときのフォーカスエラーレベル（第２のレベル）との比較を行い光ディスクの状態を判別する光ディスク判定手段とを具備しているため、フォーカスサーボがかからない状態での光ディスクの判別が可能になり、マルチセッション光ディスクがセットされた場合に、セッションの終端を従来よりも迅速に判別することができる。
【図面の簡単な説明】
【図１】光ディスク再生装置の一般的な構成図
【図２】光ディスク構造図
【図３】本発明の（実施例１）によるＣＤ立ち上げ手順のフローチャート
【図４】同実施例による光ディスク判別処理のフローチャート
【図５】同実施の形態のリードイン探索処理のフローチャート
【図６】本発明の（実施例２）によるマルチセッション対応ＴＯＣリード処理のフローチャート
【図７】本発明の（実施例１）によるフォーカスエラー波形図
【図８】本発明の（実施例１）によるフォーカスエラー波形図
【図９】本発明の（実施例１）によるフォーカスエラー判定レベルを示す図
【図１０】本発明の（実施例２）によるフォーカスエラー判定レベルを示す図
【図１１】本発明の（実施例２）による光ディスク判別時のフォーカスエラー波形図
【図１２】従来例によるマルチセッション対応ＴＯＣリード処理のフローチャート
【図１３】従来例によるリードイン探索処理のフローチャート
【符号の説明】
１　　光ディスク
２　　レンズ
３　　光ピックアップ
４　　ヘッドアンプ
５　　サーボ＆信号処理集積回路
６　　ドライバ
８　　トラッキングコイル
９　　スピンドルモータ
１０　　マイクロプロセッサ
１６　　トラバースモータ
【図１】
2004046919.tif 000003
【図２】
2004046919.tif 000004
【図３】
2004046919.tif 000005
【図４】
2004046919.tif 000006
【図５】
2004046919.tif 000007
【図６】
2004046919.tif 000008
【図７】
2004046919.tif 000009
【図８】
2004046919.tif 000010
【図９】
2004046919.tif 000011
【図１０】
2004046919.tif 000012
【図１１】
2004046919.tif 000013
【図１２】
2004046919.tif 000014
【図１３】
2004046919.tif 000015